(57)【特許請求の範囲】
【請求項１】
症例画像と、その症例画像に対する診断情報とを含む症例情報が症例ごとに登録される症例データベースと、
前記症例データベースに症例情報の登録を指示する登録指示手段と、
前記登録指示手段によって登録が指示された症例情報の症例と同一とみなせる症例を前記症例データベースから検索する同一症例検索手段と、
前記同一症例検索手段の検索結果として、前記同一症例検索手段によって検索された症例をディスプレイに出力して通知する検索結果通知手段と、
前記ディスプレイに出力された症例の中から症例情報を出力する症例を選択する症例選択手段と、
前記症例選択手段で選択された症例の症例情報を前記ディスプレイに出力する症例情報出力手段と、
前記同一症例検索手段の検索結果に基づいて実行可能な処理を前記ディスプレイに出力して通知する実行可能処理通知手段と、
前記ディスプレイに出力された実行可能な処理の選択を受け付ける実行処理選択手段と、
前記実行処理選択手段で選択された処理を実行する処理実行手段と、
を備え、前記登録指示手段によって登録が指示された症例情報の症例と同一とみなせる症例が、前記同一症例検索手段によって検索された場合、前記ディスプレイの一画面の表示領域が、検索結果表示領域と、選択可能処理表示領域と、症例情報表示領域とに分割して設定され、前記検索結果表示領域に前記同一症例検索手段によって検索された症例が表示され、前記選択可能処理表示領域に前記実行可能な処理が表示され、前記症例情報表示領域に前記症例選択手段で選択された症例の症例情報が表示される症例データベース管理システム。
【請求項２】
前記登録指示手段によって登録が指示された症例情報の症例と同一とみなせる症例が、前記同一症例検索手段によって検索された場合、前記実行可能な処理として、前記登録指示手段によって登録が指示された症例情報の症例を新規症例として登録する処理と、前記登録指示手段によって登録が指示された症例情報の症例の登録をキャンセルする処理と、が前記選択可能処理表示領域に選択可能に表示される請求項１に記載の症例データベース管理システム。
【請求項３】
前記登録指示手段によって登録が指示された症例情報の症例と同一とみなせる症例が、前記同一症例検索手段によって検索された場合、前記実行可能な処理として、前記登録指示手段によって登録が指示された症例情報の症例を新規症例として登録する処理と、前記登録指示手段によって登録が指示された症例情報の症例の登録をキャンセルする処理と、前記登録指示手段によって登録が指示された症例情報を前記同一症例検索手段によって検索された症例に追加する処理と、が前記選択可能処理表示領域に選択可能に表示される請求項１に記載の症例データベース管理システム。
【請求項４】
前記処理実行手段は、前記登録指示手段によって登録が指示された症例情報を前記同一症例検索手段によって検索された症例に追加する処理が前記実行処理選択手段によって選択されると、前記症例選択手段によって選択された症例に前記登録指示手段によって登録が指示された症例情報を追加する請求項３に記載の症例データベース管理システム。
【請求項５】
前記登録指示手段によって登録が指示された症例情報の症例と同一とみなせる症例が、前記同一症例検索手段によって検索されない場合、前記実行可能な処理として、前記登録指示手段によって登録が指示された症例情報の症例を新規症例として登録する処理と、前記登録指示手段によって登録が指示された症例情報の症例の登録をキャンセルする処理と、が前記ディスプレイの画面に選択可能に表示される請求項１から4のいずれか１項に記載の症例データベース管理システム。
【請求項６】
前記同一症例検索手段が同一症例とみなすための条件を設定する検索条件設定手段を更に備えた請求項１から５のいずれか１項に記載の症例データベース管理システム。
【請求項７】
症例画像又は診断情報を検索クエリーとして、前記症例データベースを検索する症例検索手段と、
前記症例検索手段で検索された症例を前記ディスプレイに出力する出力手段と、
を更に備えた請求項１から６のいずれか１項に記載の症例データベース管理システム。
【請求項８】
症例画像と、その症例画像に対する診断情報とを含む症例情報の症例データベースへの登録を指示するステップと、
登録が指示された症例情報の症例と同一とみなせる症例を症例データベースから検索するステップと、
前記検索の結果として、検索された症例をディスプレイに出力して通知するステップと、
前記検索の結果に基づいて実行可能な処理を前記ディスプレイに出力して通知するステップと、
前記ディスプレイに出力された症例の中から症例情報を出力する症例の選択を受け付けるステップと、
前記選択された症例の症例情報を前記ディスプレイに出力するステップと、
前記ディスプレイに出力された実行可能な処理の中から実行する処理の選択を受け付けるステップと、
前記選択された処理を実行するステップと、
を備え、登録が指示された症例情報の症例と同一とみなせる症例が検索された場合、前記ディスプレイの一画面の表示領域を、検索結果表示領域と、選択可能処理表示領域と、症例情報表示領域とに分割して設定し、前記検索結果表示領域に前記検索された症例が表示し、前記選択可能処理表示領域に前記実行可能な処理を表示し、前記症例情報表示領域に選択された症例の症例情報を表示する症例データベース管理方法。
【請求項９】
登録が指示された症例情報の症例と同一とみなせる症例が検索された場合、実行可能な処理として、前記登録が指示された症例情報の症例を新規症例として登録する処理と、前記登録が指示された症例情報の症例の登録をキャンセルする処理と、を前記選択可能処理表示領域に選択可能に表示する請求項８に記載の症例データベース管理方法。
【請求項１０】
登録が指示された症例情報の症例と同一とみなせる症例が検索された場合、実行可能な処理として、前記登録が指示された症例情報の症例を新規症例として登録する処理と、前記登録が指示された症例情報の症例の登録をキャンセルする処理と、前記登録が指示された症例情報を前記検索された症例に追加する処理と、を前記選択可能処理表示領域に選択可能に表示する請求項８に記載の症例データベース管理方法。
【請求項１１】
前記選択された処理を実行するステップでは、実行する処理として、前記登録が指示された症例情報を前記検索された症例に追加する処理が選択されると、前記症例情報の出力が選択された症例に前記登録が指示された症例情報を追加する請求項１０に記載の症例データベース管理方法。
【請求項１２】
登録が指示された症例情報の症例と同一とみなせる症例が検索されない場合、実行可能な処理として、前記登録が指示された症例情報の症例を新規症例として登録する処理と、前記登録が指示された症例情報の症例の登録をキャンセルする処理と、を前記選択可能処理表示領域に選択可能に表示する請求項８から１１のいずれか１項に記載の症例データベース管理方法。
【請求項１３】
同一症例とみなすための条件を設定するステップを更に備えた請求項８から１２のいずれか１項に記載の症例データベース管理方法。
【発明の詳細な説明】
【技術分野】
【０００１】
本発明は、症例データベース管理システム及び方法に係り、特に、症例画像と、その症例画像に対する診断情報とを含む症例情報を症例データベースに登録する症例データベース管理システム及び方法に関する。
【背景技術】
【０００２】
医療の分野では、Ｘ線単純撮影装置やＣＴ（Computed Tomography）、ＭＲ（Magnetic Resonance）、ＰＥＴ（Positron Emission Tomography）、超音波撮影装置などのモダリティによって得られる画像をディスプレイに表示し、画像中の陰影を観察（読影）することによって、疾患の有無、種類、状況などを診断することが行われている。このような診断を支援する機能として、読影を行うときにデータベースに登録されている症例情報の中から検査で得られた画像の特徴が類似する症例の情報を抽出し、診断の際の参考情報として表示する機能が提供されている。
【０００３】
たとえば、特許文献１には、診断画像から病変位置を抽出し、抽出された病変位置の画像的な特徴を表す特徴量を算出し、データベースに蓄積された参照用画像の特徴量と診断画像の特徴量とを照合することにより、診断画像に対する参照画像の類似度を求め、類似度が高い参照画像、更には類似度が高い参照画像についての所見などの情報を表示する装置が示されている。
【０００４】
このような装置では、誤診を防止するためにも、症例情報として参照に値する情報のみをデータベースに登録しておく必要がある。
【０００５】
そこで、特許文献２では、確定診断（複数の診断方法により、若しくは、複数人の医師により、複数回の診断が行われた場合の最終的な診断であって、たとえば、病理検査の結果に基づく診断や最終的な判断を下す権限がある医師の診断など）が得られた症例情報のみをデータベースに登録することが提案されている。
【先行技術文献】
【特許文献】
【０００６】
【特許文献１】特開２００２−２３０５１８号公報
【特許文献２】特開２００８−２３４３０９号公報
【発明の概要】
【発明が解決しようとする課題】
【０００７】
しかしながら、特許文献２の場合、確定診断が得られた症例情報が、すべてデータベースに登録されるため、ユーザが真に必要としてない症例情報も登録されてしまい、結果として、データベースに登録される症例情報の質が低下するという欠点がある。また、既に登録済みの症例を重ねて登録してしまうという欠点もある。
【０００８】
本発明は、このような事情に鑑みてなされたもので、登録される情報の質を向上できる症例データベース管理システム及び方法を提供することを目的とする。
【課題を解決するための手段】
【０００９】
上記課題を解決するための手段は、次のとおりである。
【００１０】
症例データベース管理システムの第１の態様は、症例画像と、その症例画像に対する診断情報とを含む症例情報が症例ごとに登録される症例データベースと、症例データベースに症例情報の登録を指示する登録指示手段と、登録指示手段によって登録が指示された症例情報の症例と同一とみなせる症例を症例データベースから検索する同一症例検索手段と、同一症例検索手段の検索結果を通知する検索結果通知手段と、同一症例検索手段の検索結果に基づいて実行可能な処理を通知する実行可能処理通知手段と、実行可能処理通知手段で通知された実行可能な処理の選択を受け付ける実行処理選択手段と、実行処理選択手段で選択された処理を実行する処理実行手段と、を備えた態様である。
【００１１】
本態様によれば、ユーザが、症例情報の登録を指示すると、その症例情報の症例と同一とみなせる症例の有無が検索される。そして、その検索結果が通知されるとともに、その検索結果に基づいて実行可能な処理が通知される。ユーザは、通知された実行可能な処理の中から実行すべき処理を選択する。実行すべき処理が選択されると、その選択された処理が実行される。これにより、たとえば、登録を指示した症例情報が、既に登録済みの場合、登録をキャンセルしたり、別途新規症例として登録したり、既存症例に追加したりすることができ、ユーザが、真に必要な情報のみを登録することができる。これにより、登録される情報の質を向上させることができる。また、検索結果に応じて実行可能な処理を通知し、その中から実行すべき処理を選択することにより、使い勝手のよいシステムとすることができる。
【００１２】
症例データベース管理システムの第２の態様は、上記第１の態様において、検索結果通知手段は、検索結果として、同一症例検索手段によって検索された症例を通知する態様である。
【００１３】
本態様によれば、同一とみなせる症例として検索された症例が検索結果として通知される。これにより、同一とみなせる症例の有無だけでなく、検索された個々の症例を把握することができる。
【００１４】
症例データベース管理システムの第３の態様は、上記第２の態様において、同一症例検索手段によって検索された症例の症例情報を出力する症例情報出力手段を更に備えた態様である。
【００１５】
本態様によれば、同一とみなせる症例として検索された症例の症例情報が出力される。これにより、検索された症例の詳細を把握することができる。
【００１６】
症例データベース管理システムの第４の態様は、上記第３の態様において、検索結果通知手段で通知された症例の中から症例情報を出力する症例を選択する症例選択手段を更に備え、症例情報出力手段は、症例選択手段で選択された症例の症例情報を出力する態様である。
【００１７】
本態様によれば、同一とみなせる症例として複数の症例が検索された場合に、その中から症例情報を出力する症例を選択することができる。これにより、所望の症例についてのみ詳細を把握することができ、使い勝手のよいシステムとすることができる。
【００１８】
症例データベース管理システムの第５の態様は、上記第１から４のいずれか１の態様において、実行可能処理通知手段は、登録指示手段によって登録が指示された症例情報の症例と同一とみなせる症例が、同一症例検索手段によって検索された場合、実行可能な処理として、登録指示手段によって登録が指示された症例情報の症例を新規症例として登録する処理と、登録指示手段によって登録が指示された症例情報の症例の登録をキャンセルする処理とを通知する態様である。
【００１９】
本態様によれば、登録を指示した症例情報の症例と同一とみなせる症例が検索された場合、実行可能な処理として、登録が指示された症例情報の症例を新規症例として登録する処理と、登録が指示された症例情報の症例の登録をキャンセルする処理とが選択可能に通知される。これにより、無駄な登録を排除して、真に必要な症例のみを登録することができる。
【００２０】
症例データベース管理システムの第６の態様は、上記第１から４のいずれか１の態様において、実行可能処理通知手段は、登録指示手段によって登録が指示された症例情報の症例と同一とみなせる症例が、同一症例検索手段によって検索された場合、実行可能な処理として、登録指示手段によって登録が指示された症例情報の症例を新規症例として登録する処理と、登録指示手段によって登録が指示された症例情報の症例の登録をキャンセルする処理と、登録指示手段によって登録が指示された症例情報を同一症例検索手段によって検索された症例に追加する処理とを通知する態様である。
【００２１】
本態様によれば、登録を指示した症例情報の症例と同一とみなせる症例が検索された場合、実行可能な処理として、登録が指示された症例情報の症例を新規症例として登録する処理と、登録が指示された症例情報の症例の登録をキャンセルする処理と、登録が指示された症例情報を検索された症例に追加する処理とが選択可能に通知される。これにより、無駄な登録を排除して、真に必要な症例のみを登録することができる。
【００２２】
症例データベース管理システムの第７の態様は、上記第４の態様において、実行可能処理通知手段は、登録指示手段によって登録が指示された症例情報の症例と同一とみなせる症例が、同一症例検索手段によって検索された場合、実行可能な処理として、登録指示手段によって登録が指示された症例情報の症例を新規症例として登録する処理と、登録指示手段によって登録が指示された症例情報の症例の登録をキャンセルする処理と、登録指示手段によって登録が指示された症例情報を同一症例検索手段によって検索された症例に追加する処理とを通知し、処理実行手段は、登録指示手段によって登録が指示された症例情報を同一症例検索手段によって検索された症例に追加する処理が実行処理選択手段によって選択されると、症例選択手段によって選択された症例に登録指示手段によって登録が指示された症例情報を追加する態様である。
【００２３】
本態様によれば、登録を指示した症例情報の症例と同一とみなせる症例が検索された場合、実行可能な処理として、登録が指示された症例情報の症例を新規症例として登録する処理と、登録が指示された症例情報の症例の登録をキャンセルする処理と、登録が指示された症例情報を検索された症例に追加する処理とが選択可能に通知される。また、登録を指示した症例情報の症例と同一とみなせる症例が複数検索された場合であって、実行すべき処理として、登録が指示された症例情報を検索された症例に追加する処理が選択された場合、追加する症例を選択することができる。これにより、所望の症例に適切に症例情報を追加することができ、質の高いシステムを構築することができる。
【００２４】
症例データベース管理システムの第８の態様は、上記第５から７のいずれか１の態様において、実行可能処理通知手段は、登録指示手段によって登録が指示された症例情報の症例と同一とみなせる症例が、同一症例検索手段によって検索されない場合、実行可能な処理として、登録指示手段によって登録が指示された症例情報の症例を新規症例として登録する処理と、登録指示手段によって登録が指示された症例情報の症例の登録をキャンセルする処理とを通知する態様である。
【００２５】
本態様によれば、登録を指示した症例情報の症例と同一とみなせる症例が検索されない場合、実行可能な処理として、登録が指示された症例情報の症例を新規症例として登録する処理と、登録が指示された症例情報の症例の登録をキャンセルする処理とが選択可能に通知される。これにより、無駄な登録を排除して、真に必要な症例のみを登録することができる。
【００２６】
症例データベース管理システムの第９の態様は、上記第１から８のいずれか１の態様において、同一症例検索手段が同一症例とみなすための条件を設定する検索条件設定手段を更に備えた態様である。
【００２７】
本態様によれば、同一症例とみなすための条件を設定することができる。これにより、個々のシステムのポリシーに従って真に必要な症例のみを登録することができる。
【００２８】
症例データベース管理システムの第１０の態様は、上記第１から９のいずれか１の態様において、症例画像又は診断情報を検索クエリーとして、症例データベースを検索する症例検索手段と、症例検索手段で検索された症例を出力する出力手段と、を更に備えた態様である。
【００２９】
本態様によれば、症例画像又は診断情報を検索クエリーとして、症例データベースに登録された情報を検索できる。検索された症例は、その登録過程で症例情報が追加されている場合、追加された症例情報も出力される。これにより、真に必要な情報を包括的に取得でき、使い勝手のよいシステムとすることができる。
【００３０】
症例データベース管理方法の第１の態様は、症例画像と、その症例画像に対する診断情報とを含む症例情報の症例データベースへの登録を指示するステップと、登録が指示された症例情報の症例と同一とみなせる症例を症例データベースから検索するステップと、検索の結果を通知するステップと、検索の結果に基づいて実行可能な処理を通知するステップと、通知された実行可能な処理の中から実行する処理の選択を受け付けるステップと、選択された処理を実行するステップと、を備えた態様である。
【００３１】
本態様によれば、ユーザが、症例情報の登録を指示すると、その症例情報の症例と同一とみなせる症例の有無が検索される。そして、その検索結果が通知されるとともに、その検索結果に基づいて実行可能な処理が通知される。ユーザは、通知された実行可能な処理の中から実行すべき処理を選択する。実行すべき処理が選択されると、その選択された処理が実行される。これにより、たとえば、登録を指示した症例情報が、既に登録済みの場合、登録をキャンセルしたり、別途新規症例として登録したり、既存症例に追加したりすることができ、ユーザが、真に必要な情報のみを登録することができる。これにより、登録される情報の質を向上させることができる。また、検索結果に応じて実行可能な処理を通知し、その中から実行すべき処理を選択することにより、使い勝手のよいシステムとすることができる。
【００３２】
症例データベース管理方法の第２の態様は、上記第１の態様において、検索の結果を通知するステップでは、検索された症例を通知する態様である。
【００３３】
本態様によれば、同一とみなせる症例として検索された症例が検索結果として通知される。これにより、同一とみなせる症例の有無だけでなく、検索された個々の症例を把握することができる。
【００３４】
症例データベース管理方法の第３の態様は、上記第２の態様において、検索された症例の症例情報を出力するステップを更に備えた態様である。
【００３５】
本態様によれば、同一とみなせる症例として検索された症例の症例情報が出力される。これにより、検索された症例の詳細を把握することができる。
【００３６】
症例データベース管理方法の第４の態様は、上記第３の態様において、通知された症例の中から症例情報を出力する症例の選択を受け付けるステップを更に備え、検索された症例の症例情報を出力するステップでは、選択された症例の症例情報を出力する態様である。
【００３７】
本態様によれば、同一とみなせる症例として複数の症例が検索された場合に、その中から症例情報を出力する症例を選択することができる。これにより、所望の症例についてのみ詳細を把握することができ、使い勝手のよいシステムとすることができる。
【００３８】
症例データベース管理方法の第５の態様は、上記第１から４のいずれか１の態様において、検索の結果に基づいて実行可能な処理を通知するステップでは、実行可能な処理として、登録が指示された症例情報の症例を新規症例として登録する処理と、登録が指示された症例情報の症例の登録をキャンセルする処理とを通知する態様である。
【００３９】
本態様によれば、登録を指示した症例情報の症例と同一とみなせる症例が検索された場合、実行可能な処理として、登録が指示された症例情報の症例を新規症例として登録する処理と、登録が指示された症例情報の症例の登録をキャンセルする処理とが選択可能に通知される。これにより、無駄な登録を排除して、真に必要な症例のみを登録することができる。
【００４０】
症例データベース管理方法の第６の態様は、上記第１から４のいずれか１の態様において、検索の結果に基づいて実行可能な処理を通知するステップでは、実行可能な処理として、登録が指示された症例情報の症例を新規症例として登録する処理と、登録が指示された症例情報の症例の登録をキャンセルする処理と、登録が指示された症例情報を検索された症例に追加する処理とを通知する態様である。
【００４１】
本態様によれば、登録を指示した症例情報の症例と同一とみなせる症例が検索された場合、実行可能な処理として、登録が指示された症例情報の症例を新規症例として登録する処理と、登録が指示された症例情報の症例の登録をキャンセルする処理と、登録が指示された症例情報を検索された症例に追加する処理とが選択可能に通知される。これにより、無駄な登録を排除して、真に必要な症例のみを登録することができる。
【００４２】
症例データベース管理方法の第７の態様は、上記第４の態様において、検索の結果に基づいて実行可能な処理を通知するステップでは、実行可能な処理として、登録が指示された症例情報の症例を新規症例として登録する処理と、登録が指示された症例情報の症例の登録をキャンセルする処理と、登録が指示された症例情報を検索された症例に追加する処理とを通知し、選択された処理を実行するステップでは、実行する処理として、登録が指示された症例情報を検索された症例に追加する処理が選択されると、症例情報の出力が選択された症例に登録が指示された症例情報を追加する態様である。
【００４３】
本態様によれば、登録を指示した症例情報の症例と同一とみなせる症例が検索された場合、実行可能な処理として、登録が指示された症例情報の症例を新規症例として登録する処理と、登録が指示された症例情報の症例の登録をキャンセルする処理と、登録が指示された症例情報を検索された症例に追加する処理とが選択可能に通知される。また、登録を指示した症例情報の症例と同一とみなせる症例が複数検索された場合であって、実行すべき処理として、登録が指示された症例情報を検索された症例に追加する処理が選択された場合、追加する症例を選択することができる。これにより、所望の症例に適切に症例情報を追加することができ、質の高いシステムを構築することができる。
【００４４】
症例データベース管理方法の第８の態様は、上記第５から７のいずれか１の態様において、検索の結果に基づいて実行可能な処理を通知するステップでは、実行可能な処理として、登録指示手段によって登録が指示された症例情報の症例を新規症例として登録する処理と、登録指示手段によって登録が指示された症例情報の症例の登録をキャンセルする処理とを通知する態様である。
【００４５】
本態様によれば、登録を指示した症例情報の症例と同一とみなせる症例が検索されない場合、実行可能な処理として、登録が指示された症例情報の症例を新規症例として登録する処理と、登録が指示された症例情報の症例の登録をキャンセルする処理とが選択可能に通知される。これにより、無駄な登録を排除して、真に必要な症例のみを登録することができる。
【００４６】
症例データベース管理方法の第９の態様は、上記第１から８のいずれか１の態様において、同一症例とみなすための条件を設定するステップを更に備えた態様である。
【００４７】
本態様によれば、同一症例とみなすための条件を設定することができる。これにより、個々のシステムのポリシーに従って真に必要な症例のみを登録することができる。
【発明の効果】
【００４８】
本発明によれば、真に必要な情報のみを登録して、データベースに登録される情報の質を向上させることができる。
【図面の簡単な説明】
【００４９】
【図１】本発明が適用された症例管理システムの概略構成を示すシステム構成図
【図２】診療システムの概略構成を示すシステム構成図
【図３】図１の症例管理システムの構成を症例の登録、閲覧機能に着目して示した図
【図４】症例を登録する手順を示すフローチャート
【図５】同一とみなせる症例がある場合のディスプレイの表示の一例を示す図
【図６】同一とみなせる症例がない場合のディスプレイの表示の一例を示す図
【図７】症例情報登録部が生成する症例情報の一例を示す図
【図８】情報が追加されたときの症例情報の一例を示す図
【図９】同一症例とみなすための条件を設定する画面の表示例を示す図
【発明を実施するための形態】
【００５０】
以下、添付図面に従って本発明の好ましい実施の形態について詳説する。
【００５１】
≪システム構成≫
図１は、本発明が適用された症例管理システムの概略構成を示すシステム構成図である。
【００５２】
同図に示すように、この症例管理システムは、主として、病院やクリニックにおいて診療情報を生成し、管理する診療システム１と、症例データベース４への症例情報の登録、及び、症例データベース４からの症例情報の検索を実行する症例データベース管理システム２と、これらを接続するネットワーク３（インターネット若しくは専用回線）とで構成される。
【００５３】
なお、本例では、症例データベース４を症例データベース管理システム２に直接接続する構成としているが、症例データベース４は、ローカルエリアネットワーク１９に接続する構成としてもよい。
【００５４】
図２は、診療システムの概略構成を示すシステム構成図である。
【００５５】
同図に示すように、診療システム１は、撮影装置（以下「モダリティ」という）１１と、検査技師用ワークステーション１２と、放射線科医用ワークステーション１３と、診察医用ワークステーション１４と、画像情報データベース１５と、読影レポートデータベース１６と、これら３種類のデータベースを管理するデータベースマネージメントサーバ（以下「ＤＢＭＳ（Data Base Management System）」という）１８とで構成される。各装置は、ローカルエリアネットワーク１９を介して互いに通信可能な状態で接続される。
【００５６】
なお、図２では、説明の便宜上、各装置が１台ずつローカルエリアネットワーク１９に接続された構成としているが、ローカルエリアネットワーク１９には、複数かつ多種類のモダリティが接続される。また、検査技師用ワークステーション１２、放射線科医用ワークステーション１３、診察医用ワークステーション１４についても、検査技師、放射線科医、診察医の人数に応じて複数台接続される。
【００５７】
モダリティ１１は、被写体を撮影することにより画像データを生成し、その画像データにＤＩＣＯＭ規格で規定された付帯情報を付加した画像情報を生成し、出力する装置である。
【００５８】
モダリティ１１は、被写体撮影から画像データの生成までの処理を一括して行うタイプのモダリティでも、撮影画像を記録シートに記録する撮像装置と、記録シートから画像を読み取って画像データを生成する読取装置とが分離したタイプのモダリティでもよい。具体例としては、Ｘ線単純撮影装置やＣＴ、ＭＲ、ＰＥＴ、超音波撮影装置などが挙げられる。
【００５９】
検査技師用ワークステーション１２は、処理装置（たとえば、汎用のコンピュータ）と、１台又は２台の高精細ディスプレイと、キーボード・マウスなどの入力機器とで構成される。処理装置には、検査技師の作業を支援するためのソフトウェアプログラムが組み込まれている。
【００６０】
検査技師用ワークステーション１２は、処理装置に組み込まれたソフトウェアプログラムの機能により、モダリティ１１から画像情報を受信し、受信した画像情報に含まれる画像データと付帯情報の内容とをディスプレイに表示して、検査技師に確認を促す。そして、検査技師による確認が済んだ画像情報をローカルエリアネットワーク１９を介してＤＢＭＳ１８に転送し、その画像情報の画像情報データベース１５への登録を要求する。
【００６１】
ＤＢＭＳ１８は、汎用の比較的処理能力の高いコンピュータにＤＢＭＳの機能を提供するソフトウェアプログラムを組み込んだものである。ＤＢＭＳ１８は、登録が要求されたデータをＤＢＭＳ１８に接続された大容量ストレージに保存し、登録済みのデータに対して閲覧要求があったときには、検索条件に適ったデータを抽出して提供する。なお、データの保存場所は、ローカルエリアネットワーク１９に接続されているＮＡＳ（Network Attached Storage）やＳＡＮ（Storage Area Network）であってもよい。
【００６２】
ＤＢＭＳ１８は、画像情報の登録要求を受け付けると、その画像情報をデータベース用のフォーマットに整えて、画像情報データベース１５に登録する。
【００６３】
画像情報は、たとえば、ＸＭＬやＳＧＭＬデータとして管理され、被写体画像を表す画像データと、少なくとも被写体を識別するための患者ＩＤ（患者番号）、検査を識別するための検査番号、個々の画像を識別するための画像番号を含む付帯情報とで構成される。付帯情報には、上記の他、画像情報ごとに割り振られるユニークなＩＤ（ＵＩＤ）、その画像情報が生成された検査日、検査時刻、その画像情報を取得するための検査で使用されたモダリティの種類、患者氏名、年齢、性別などの患者情報、検査部位（撮影部位）、撮影条件（造影剤の使用有無／使用された色素、放射線核種、放射線量など）、１回の検査で複数の画像を取得したときのシリーズ番号あるいは採取番号などの情報が含まれる。
【００６４】
ＤＢＭＳ１８は、放射線科医用ワークステーション１３からの閲覧要求をローカルエリアネットワーク１９を介して受信すると、上記画像情報データベース１５に登録されている画像情報を検索し、抽出された画像情報を要求元の放射線科医用ワークステーション１３に送信する。
【００６５】
放射線科医用ワークステーション１３は、放射線科医が画像の読影に利用する装置であり、処理装置と、１台又は２台の高精細ディスプレイと、キーボード・マウスなどの入力機器とで構成される。処理装置には、放射線科医による診断を支援する機能（たとえば、画像中の病変らしき部分を自動検出して強調表示する機能など）や、読影レポートの作成を支援する機能、症例として症例データベースへの登録を受け付ける機能、及び、症例の閲覧を受け付ける機能を提供するソフトウェアプログラムが組み込まれている。
【００６６】
放射線科医用ワークステーション１３は、読影対象画像、その他診断に使用する情報の閲覧を要求する操作が行われると、ＤＢＭＳ１８に対して閲覧要求を送信し、読影対象の画像情報、若しくは、診断に必要な情報を取得する。そして、その画像情報をディスプレイに表示し、放射線科医からの要求に応じて、病変の自動検出処理などを実行する。
【００６７】
また、放射線科医用ワークステーション１３は、読影レポートの作成を支援するレポート作成画面をディスプレイに表示する。放射線科医は、ディスプレイの表示に従って、読影に基づいて行った所見、診断の内容を示すテキストを入力する。放射線科医用ワークステーション１３は、入力された情報と、読影の対象とされた画像（以下「読影対象画像」という）とを記録した読影レポートを生成する。なお、読影対象画像が複数あるときは、診断に与えた影響が最も大きい代表的な画像（以下「代表画像」という）が、読影レポートに記録される。
【００６８】
放射線科医用ワークステーション１３は、生成した読影レポートをローカルエリアネットワーク１９を介してＤＢＭＳ１８に転送し、その読影レポートの読影レポートデータベース１６への登録を要求する。
【００６９】
ＤＢＭＳ１８は、読影レポートの登録要求を受け付けると、その読影レポートをデータベース用のフォーマットに整えて読影レポートデータベース１６に登録する。
【００７０】
読影レポートは、たとえば、ＸＭＬやＳＧＭＬデータとして管理され、読影対象画像若しくは代表画像を表す画像データと、画像の読影時に画像情報の付帯情報を参照することによって取得された検査番号、患者ＩＤ（患者番号）、画像番号、検査日（撮影日）、検査種（モダリティ）などの情報と、検査部位の情報、所見の情報、診断の情報などで構成される。このうち、画像データは、画像情報に含まれている画像データをそのままコピーしたものでもよいが、画像情報に含まれている画像データよりも画素数が少ない（間引きされた）縮小画像データでもよい。また、画像データは、画像情報データベース１５内の画像データの保管場所（フォルダなど）及びファイル名を示すリンク情報であってもよい。また、読影レポートには、画像データとともに、読影の際に、その画像データについて設定された関心領域（ＲＯＩ）を示す座標情報を記録しておくことが好ましい。なお、関心領域を示す座標情報は、読影レポートのみならず、画像情報の付帯情報に記録しておいてもよい。
【００７１】
また、放射線科医用ワークステーション１３は、作成した読影レポート、あるいは、閲覧中の読影レポートに対して、症例としての登録を要求する操作が行われると、症例データベース管理システム２に対して登録要求を送信する。
【００７２】
更に、放射線科医用ワークステーション１３は、症例情報の閲覧を要求する操作が行われると、症例データベース管理システム２に対して症例情報の閲覧要求を送信する。
【００７３】
症例データベース管理システム２は、この放射線科医用ワークステーション１３からの症例情報の登録要求、閲覧要求を受けて、症例の登録、検索処理を行う。この点については、のちに詳述する。
【００７４】
診察医用ワークステーション１４は、診察医が読影レポートを参照するのに利用する装置であり、処理装置と、１台又は２台の高精細ディスプレイと、キーボード・マウスなどの入力機器とで構成される。処理装置には、診察対象の読影レポートの閲覧を受け付ける機能を提供するソフトウェアプログラムが組み込まれている。
【００７５】
診察医用ワークステーション１４は、読影レポート、その他診察に使用する情報（読影レポートに付された画像情報等）の閲覧を要求する操作が行われると、ＤＢＭＳ１８に対して閲覧要求を送信する。
【００７６】
ＤＢＭＳ１８は、診察医用ワークステーション１４からの閲覧要求を受信すると、読影レポートデータベース１６に登録されている読影レポートを検索し、抽出された読影レポートを要求元の診察医用ワークステーション１４に送信する。
【００７７】
診察医用ワークステーション１４は、送信された読影レポートを受信し、その情報をディスプレイに表示する。
【００７８】
上記のように、放射線科医用ワークステーション１３は、作成した読影レポート、あるいは、閲覧中の読影レポートに対して、症例としての登録を要求する操作が行われると、症例データベース管理システム２に対して登録要求を送信する。また、放射線科医用ワークステーション１３は、症例情報の閲覧を要求する操作が行われると、症例データベース管理システム２に対して症例情報の閲覧要求を送信する。
【００７９】
図３は、図１の症例管理システムの構成を症例の登録、閲覧機能に着目して示した図である。
【００８０】
同図に示すように、放射線科医用ワークステーション１３は、症例登録受付／出力部２１と、症例検索受付／出力部２２とを備える。
【００８１】
症例登録受付／出力部２１は、ユーザによる症例の登録要求（症例の登録を要求する操作）を受け付け、症例データベース管理システム２に対して、その症例の登録を指示する。また、その登録の指示に対して症例データベース管理システム２から送信される回答、すなわち、登録に際して選択可能な処理の情報、及び、その付帯情報を受信し、出力する。更に、処理の選択を受け付け、受け付けた処理の実行を症例データベース管理システム２に指示する。
【００８２】
症例検索受付／出力部２２は、ユーザによる症例の検索要求（症例の検索を要求する操作）を受け付け、症例データベース管理システム２に対して、その症例の検索を指示する。また、その検索の指示に対して症例データベース管理システム２から送信される検索の結果を受信して、出力する。
【００８３】
症例登録受付／出力部２１及び症例検索受付／出力部２２の機能は、放射線科医用ワークステーション１３の処理装置に症例登録受付／出力プログラム及び症例検索受付／出力プログラムを組み込むことにより実現される。
【００８４】
症例データベース管理システム２は、選択可能処理判定部２３、読影レポート取得部２４、症例情報登録部２５、及び、症例検索部２６を備え、汎用の比較的処理能力の高いコンピュータにＤＢＭＳの機能を提供するソフトウェアプログラム、及び、各部の機能を提供するソフトウェアプログラムを組み込むことにより構成される。
【００８５】
選択可能処理判定部２３は、放射線科医用ワークステーション１３から症例の登録指示を受け付ける。そして、受け付けた症例に対して、ユーザが選択可能な処理を判定し、その結果を放射線科医用ワークステーション１３に返信する。また、その選択可能な処理に対する選択結果を放射線科医用ワークステーション１３から受け付ける。
【００８６】
読影レポート取得部２４は、登録対象の読影レポートを読影レポートデータベース１６から取得する。
【００８７】
症例情報登録部２５は、登録する症例の症例情報を作成する。そして、作成した症例情報を症例データベース４に登録する。
【００８８】
症例検索部２６は、放射線科医用ワークステーション１３から症例の検索指示を受け付ける。そして、受け付けた症例を症例データベース４から検索し、その結果を放射線科医用ワークステーション１３に出力する。また、選択可能処理判定部２３から症例の検索指示を受け付け、受け付けた症例を症例データベース４から検索する。そして、その結果を選択可能処理判定部２３に出力する。
【００８９】
≪症例の登録手順≫
図４は、症例を登録する手順を示すフローチャートである。
【００９０】
ユーザにより症例の登録操作が行われると（ステップＳ１）、症例登録受付／出力部２１が、症例の登録要求を受け付ける。
【００９１】
症例の登録操作は、たとえば、放射線科医用ワークステーション１３のディスプレイに表示されている読影レポートに対して、キーボード・マウス等で登録を指示することにより行われる。したがって、ユーザは、まず、登録対象とする症例の読影レポートを作成あるいは読み出して、ディスプレイに表示させることとなる。
【００９２】
症例登録受付／出力部２１は、症例の登録指示を受け付けると、登録対象の読影レポートを特定して、症例データベース管理システム２に登録の指示を送信する。
【００９３】
登録の指示は、選択可能処理判定部２３で受信される。選択可能処理判定部２３は、この登録の指示を受信すると、登録対象とする読影レポートを読影レポートデータベース１６から取得する。そして、取得した読影レポートの症例と同一とみなせる症例が、既に登録済みか否かを判定するために、症例検索部２６に症例の検索を指示する。
【００９４】
症例検索部２６は、検索の指示に応じて、症例データベース４を検索し、指示された症例と同一とみなせる症例を抽出する（ステップＳ２）。そして、その検索結果（同一とみなせる症例の有無、及び、同一とみなせる症例が抽出された場合には、抽出された症例の症例情報）を選択可能処理判定部２３に出力する。
【００９５】
なお、同一の症例とみなすための条件（検索条件）は、たとえば、患者ＩＤ、検査種、検査部位、検査日（期間）などを用いて設定することができる。したがって、たとえば、患者ＩＤ、検査種、検査部位を用いて検索条件を設定した場合には、これらの条件がすべて一致する症例が同一症例とみなされる。
【００９６】
選択可能処理判定部２３は、同一とみなせる症例の検索結果を症例検索部２６から取得し、その検索結果に基づいて、ユーザが選択可能な処理を決定する（ステップＳ３）。このユーザが選択可能な処理は、同一とみなせる症例の有無によって決定される。
【００９７】
すなわち、同一とみなせる症例がない場合（パターンＡ）は、選択可能な処理として、Ａ１：新規症例として登録するという処理と、Ａ２：登録をキャンセルするという処理とを選択可能な処理として決定する。
【００９８】
一方、同一とみなせる症例がある場合（パターンＢ）は、選択可能な処理として、Ｂ１：新規症例として登録するという処理と、Ｂ２：既存の症例に追加するという処理と、Ｂ３：登録をキャンセルするという処理とを選択可能な処理として決定する。
【００９９】
選択可能処理判定部２３は、検索結果に基づいて決定したユーザが選択可能な処理を放射線科医用ワークステーション１３に出力する（ステップＳ４）。また、これと同時に検索結果の情報を放射線科医用ワークステーション１３に出力する。すなわち、同一とみなせる症例の有無、及び、同一とみなせる症例が抽出された場合には、抽出された症例の症例情報を出力する。
【０１００】
選択可能な処理の情報と、その付帯情報は、放射線科医用ワークステーション１３の症例登録受付／出力部２１で受診される。症例登録受付／出力部２１は、取得した選択可能な処理の情報及びその付帯情報を所定のフォーマットでディスプレイに表示する。
【０１０１】
図５は、同一とみなせる症例がある場合（パターンＢ）のディスプレイの表示の一例を示す図である。
【０１０２】
同図に示すように、同一とみなせる症例がある場合（パターンＢ）、同一とみなせる症例が既に登録済みである旨を通知するメッセージとともに、処理の選択を促すメッセージがディスプレイに表示される。そして、選択可能な処理と、検索された症例の一覧（同一とみなせるものとして検索された症例）と、その症例の詳細、すなわち、症例情報が表示される。
【０１０３】
選択可能な処理は、所定の選択可能処理表示領域にボタンの形態で表示される。したがって、ボタンのいずれか一つをクリックすれば、要求する処理を選択することができる。
【０１０４】
上記のように、同一とみなせる症例がある場合、選択可能な処理は、新規症例として登録するという処理（Ｂ１）と、既存の症例に追加するという処理（Ｂ２）と、登録をキャンセルするという処理（Ｂ３）の３つの処理であるので、各処理を表す３つのボタンが表示される。図５に示す例では、新規症例として登録するという処理を表すボタンとして、「新規症例として登録」のボタンが表示され、既存の症例に追加するという処理を表すボタンとして、「選択中の症例に追加」のボタンが表示されている。また、登録をキャンセルする処理を表すボタンとして、「キャンセル」のボタンが表示されている。
【０１０５】
検索された症例の一覧は、所定の検索結果表示領域に表示される。この際、症例から所定の情報（本例では患者ＩＤ、検査部位、検査種、検査日の情報）が抽出されて一覧表示される。
【０１０６】
同一とみなせる症例が複数検索された場合は、検索された全ての症例が表示されるが、表示スペースに制限がある場合は、必要に応じてスクロールして表示される。
【０１０７】
症例の詳細情報は、一覧表示された症例の中から選択されたものの症例情報が、所定の症例情報表示領域に表示される。したがって、前記検索結果表示領域に表示される症例の一覧は、選択可能に表示される（クリック等で選択する）。図５に示す例では、選択された症例が反転表示（背景と文字の色が反転）されて、選択されたことが分かるようにされている。
【０１０８】
なお、同一とみなすことができる症例が複数検索された場合、検索結果表示領域の先頭に表示された症例の症例情報が、自動的に症例情報表示領域に表示されるようにしてもよい。また、ユーザの選択により初めて、症例情報表示領域に症例情報を表示させる態様としてもよい。
【０１０９】
また、同一とみなすことができる症例が１つだけであった場合は、その症例の詳細情報が自動的に症例情報表示領域に表示されようにしてもよいし、また、ユーザが検索結果表示領域に表示された症例を選択して初めて、症例情報を症例情報表示領域に表示するようにしてもよい。
【０１１０】
図６は、同一とみなせる症例がない場合（パターンＡ）のディスプレイの表示の一例を示す図である。
【０１１１】
同図に示すように、同一とみなせる症例が症例データベース４にない場合（パターンＡ）、同一とみなせる症例は登録されていない旨を通知するメッセージとともに、処理の選択を促すメッセージがディスプレイに表示される。そして、選択可能な処理とが表示される。
【０１１２】
選択可能な処理は、所定の選択可能処理表示領域にボタンの形態で表示される。したがって、ボタンのいずれか一つをクリックすれば、要求する処理を選択することができる。
【０１１３】
上記のように、同一とみなせる症例がない場合、選択可能な処理は、新規症例として登録するという処理（Ａ１）と、登録をキャンセルするという処理（Ａ２）の２つの処理であるので、各処理を表す２つのボタンが表示される。図６に示す例では、新規症例として登録するという処理を表すボタンとして、「新規症例として登録」のボタンが表示され、登録をキャンセルする処理を表すボタンとして、「キャンセル」のボタンが表示されている。
【０１１４】
ユーザは、ディスプレイの表示に従って希望する処理を選択する（ステップＳ５）。
【０１１５】
したがって、同一とみなせる症例がない場合（パターンＡ）は、図６に示すように、「新規症例として登録」のボタン又は「キャンセル」のボタンをクリックして、新規症例として登録する処理と、登録をキャンセルする処理のいずれ一方の処理を選択する。
【０１１６】
また、同一とみなせる症例がある場合（パターンＢ）は、図５に示すように、「新規症例として登録」のボタンと、「選択中の症例に追加」のボタンと、「キャンセル」のボタンのいずれか１つをクリックして、新規症例として登録する処理と、既存の症例に追加して登録する処理と、登録をキャンセルする処理のいずれ１つの処理を選択する。
【０１１７】
放射線科医用ワークステーション１３の症例登録受付／出力部２１は、処理の選択を受け付け、症例データベース管理システム２に対して、選択された処理の実行を指示する（ステップＳ６）。
【０１１８】
すなわち、登録をキャンセルする処理が選択された場合は、登録をキャンセルする処理の実行を症例データベース管理システム２に指示する。選択可能処理判定部２３は、この指示を受け付ける。この場合、登録は行われずに、処理は終了する。
【０１１９】
また、新規症例として登録する処理が選択された場合は、新規症例として登録する処理の実行を症例データベース管理システム２に指示する。選択可能処理判定部２３は、この指示を受け付け、症例情報登録部２５に新規症例としての登録を指示する。
【０１２０】
症例情報登録部２５は、新規症例としての登録の指示を受けると、読影レポートデータベース１６から読影レポートを取得する。そして、取得した読影レポートをベースに症例情報を生成し、生成した症例情報を症例データベース４に登録する。
【０１２１】
図７は、症例情報登録部が生成する症例情報の一例を示す図である。読影レポートには、症例情報として不要な情報も含まれている。症例情報登録部２５は、まず、読影レポートに含まれるデータのうち画像データなど症例情報としてそのまま登録し得るデータをメモリの所定領域にコピーする。更に、読影レポートに含まれるデータのうち一部のデータを編集した後、メモリの所定領域に配置する。これによりメモリ上に、所定のフォーマットの症例情報が構成される。たとえば、図７の例では、患者ＩＤ、検査種、検査日、検査部位、所見、診断、読影を行った画像（症例画像）の情報が記録された症例情報を生成している。
【０１２２】
また、既存の症例に追加して登録するという処理が選択された場合は、既存症例に追加する処理の実行を症例データベース管理システム２に指示する。選択可能処理判定部２３は、この指示を受け付け、症例情報登録部２５に既存症例への追加を指示する。
【０１２３】
症例情報登録部２５は、既存症例への登録指示を受けると、追加して登録する症例の読影レポートを読影レポートデータベース１６から取得する。そして、取得した読影レポートをベースに症例情報を生成する。ここで生成する症例情報は、新規症例として登録する場合の症例情報と同じである。
【０１２４】
既存症例に追加する症例の症例情報が生成されると、症例情報登録部２５は、その生成された症例情報を既存症例の症例情報に追加し（追加することを選択された既存症例の症例情報に追加）、既存症例の症例情報を更新する。
【０１２５】
図８は、症例情報が追加された症例の症例情報の一例を示す図である。同図に示すように、既存症例の症例情報に対して新たな症例情報が追加されて、既存症例の症例情報が更新される。
【０１２６】
以上説明したように、本実施の形態の症例管理システムによれば、症例の登録を要求する操作が行われると、まず、同一とみなせる症例の有無が検索され、その結果がユーザに通知される。これにより、ユーザが真に必要としている症例のみを登録することができ、信頼性の高いデータベースを構築することができる。すなわち、登録の要否を見直す機会が与えられるので、真に必要な症例のみを登録でき、この結果、信頼性の高いデータベースを構築することができる。また、検索の結果から実行可能な処理がユーザに提示されるので、使い勝手のよいシステムとすることができる。また、同一とみなせる症例が検索された場合には、その症例情報も提示されるので、実行すべき処理も簡単に選択することができる。
【０１２７】
なお、どのような症例を同一症例とみなすかは、ユーザが任意に設定することができることが好ましい。この場合、たとえば、放射線科医用ワークステーション１３のディスプレイに所定の設定画面を表示し、放射線科医用ワークステーション１３で設定ができるようにすることが好ましい。
【０１２８】
図９は、同一症例とみなすための条件を設定する画面の表示例を示す図である。同図に示すように、この例では、設定可能な条件を一覧表示し、各条件に設定されたチェックボックスにチェックを入れることにより、同一症例とみなすための条件を任意に設定できるようにしている。また、同図に示す例では、検査日について、対象期間を任意に設定できるようにし、所見について、キーワード（テキスト）を入力できるようにしている。
【０１２９】
このように、同一症例とみなすための条件を任意に設定できるようにすることにより、真にユーザが必要としている症例を効率よく収集でき、より信頼性の高いデータベースを構築することができる。
【０１３０】
≪症例データベースの利用≫
次に、上記のようにして生成される症例データベース４の利用方法について説明する。
【０１３１】
症例データベース４に登録された症例情報は、たとえば、放射線科医が読影レポートを作成する際の参考として利用する。
【０１３２】
上記のように、放射線科医用ワークステーション１３は、症例検索受付／出力部２２を備えている。症例検索受付／出力部２２は、キーボード等から入力された情報を検索クエリーとして受け付ける。
【０１３３】
検索クエリーが設定されると、症例検索受付／出力部２２は、設定された検索クエリーを含む所定のデータフォーマットの検索要求を生成し、その検索要求を症例データベース管理システム２に送信する。
【０１３４】
症例データベース管理システム２の症例検索部２６は、受信した検索要求に含まれる検索クエリーに基づいて症例データベース４の検索を行う。そして、検索クエリーに含まれる文字情報と同じ文字情報を含む症例情報、あるいは、検索クエリーに含まれる画像情報と同じ画像情報を含む症例情報を抽出する。
【０１３５】
症例検索部２６は、抽出された症例情報に検索要求元のアドレスを付した所定のデータフォーマットの検索結果を生成し、検索要求の送信元の放射線科医用ワークステーション１３に送信する。
【０１３６】
放射線科医用ワークステーション１３の症例検索受付／出力部２２は、症例データベース管理システム２から送信された検索結果を受信し、ディスプレイに表示する。
【０１３７】
この際、症例情報が追加された症例については、図８に示すように、症例情報が追加された形態でディスプレイに表示される。これにより、所望の症例の症例情報を効率よく取得することができる。
【０１３８】
以上説明したように、本実施の形態の症例管理システムによれば、症例の登録時に、まず、同一とみなせる症例の有無を検索し、その結果をユーザに通知して、ユーザに登録の要否及び形態が問い合わされるので、真に必要としている症例のみを登録することができる。これにより、信頼性の高いデータベースを構築することができる。また、検索の結果から実行可能な処理がユーザに提示されるので、使い勝手のよいシステムとすることができる。また、同一とみなせる症例が検索された場合には、その症例情報も提示されるので、実行すべき処理も簡単に選択することができる。
【０１３９】
なお、上記の実施の形態では、同一とみなせる症例が、既に登録済みの場合、新規症例として登録する処理と、既存の症例に追加して登録する処理と、登録をキャンセルする処理とを選択可能な処理としているが、ユーザが選択可能な処理として提示する処理は、これに限定されるものではない。たとえば、新規症例として登録する処理と、既存の症例に追加して登録する処理のいずれか一方のみを選択可能としてもよいし、また、新規症例として登録する処理と、登録をキャンセルする処理とを選択可能な処理とのいずれか一方のみを選択可能としてもよい。また、これらの他に他の処理も選択可能に提示してもよい。
【０１４０】
同一とみなせる症例がない場合についても同様である。なお、同一とみなせる症例がない場合は、ユーザに登録の要否を問い合わせずに、無条件で新規症例として登録する構成としてもよい。
【０１４１】
また、上記実施の形態では、放射線科医用ワークステーション１３を介して症例の登録の指示等を行う構成としているが、症例データベース管理システム２で症例の登録の指示等を行うことができるように構成してもよい。
【０１４２】
また、放射線科医用ワークステーション１３に症例データベース管理システム及び症例データベースの機能を実現させてもよい。
【符号の説明】
【０１４３】
１…診療システム、２…症例データベース管理システム、３…ネットワーク、４…症例データベース、１１…撮影装置（モダリティ）、１２…検査技師用ワークステーション、１３…放射線科医用ワークステーション、１４…診察医用ワークステーション、１５…画像情報データベース、１６…読影レポートデータベース、１９…ローカルエリアネットワーク、２１…症例登録受付／出力部、２２…症例検索受付／出力部、２３…選択可能処理判定部、２４…読影レポート取得部、２５…症例情報登録部、２６…症例検索部
【図１】
0005635030.tif 000002
【図２】
0005635030.tif 000003
【図３】
0005635030.tif 000004
【図４】
0005635030.tif 000005
【図５】
0005635030.tif 000006
【図６】
0005635030.tif 000007
【図７】
0005635030.tif 000008
【図８】
0005635030.tif 000009
【図９】
0005635030.tif 000010